(57)【要約】【課題】フレキシブル基板を遊技部品内に湾曲配置しても電子部品が剥離することが無く、不具合が発生し難い遊技機を提供する【解決手段】遊技部品と、電子部品が表面に実装される湾曲可能なフレキシブル基板を備えている。フレキシブル基板を遊技部品内に湾曲配置している。遊技部品内にフレキシブル基板の裏面に当接して電子部品をバックアップ支持する平面部が設けられている。【選択図】図６
2010188021.tif 000002
【特許請求の範囲】
【請求項１】
遊技部品と、電子部品が表面に実装される湾曲可能なフレキシブル基板とを備え、前記遊技部品内に前記フレキシブル基板を湾曲配置した遊技機であって、
前記遊技部品内には、前記フレキシブル基板の裏面に当接して前記電子部品をバックアップ支持する平面部が設けられていることを特徴とする遊技機
【発明の詳細な説明】
【技術分野】
【０００１】
本発明はパチンコ機等の遊技機に関するものである。
【背景技術】
【０００２】
従来のパチンコ機等の遊技機では、電子部品が実装されるフレキシブル基板を機体の所定の曲面部に沿わせて設けられている。(例えば特許文献１参照)
【先行技術文献】
【特許文献】
【０００３】
【特許文献１】特開２００４−１６７１４０号公報
【発明の概要】
【発明が解決しようとする課題】
【０００４】
ところが、特許文献１の技術では、フレキシブル基板を機体の所定の曲面部に沿わせて設けることにより、フレキシブル基板が変形される。フレキシブル基板は変形を可能とする柔軟性のある部材で構成されているが、フレキシブル基板に実装される電子部品は変形しない。したがって、フレキシブル基板が変形することにより、フレキシブル基板と電子部品とが取り付けられる端部に負荷がかかり、剥離してしまう恐れがある。
【０００５】
本発明は、このような問題を解決するためになされたものであって、その目的は、不具合が発生し難い遊技機を提供することにある。
【課題を解決するための手段】
【０００６】
上記目的を達成するために請求項１の発明では、電子部品が表面に実装される湾曲可能なフレキシブル基板を遊技部品内に湾曲配置し、遊技部品内にフレキシブル基板の裏面に当接して電子部品をバックアップ支持する平面部を設けたものである。
【０００７】
このように、本発明においては、平面部がフレキシブル基板の裏面に当接して電子部品をバックアップ支持しているので、遊技部品内にフレキシブル基板を湾曲配置しても、フレキシブル基板の電子部品が実装される部分は平板部によって平らな状態に補正されることとなり、フレキシブル基板と電子部品とが取り付けられる端部に対して負荷を減らす事ができる。
【図面の簡単な説明】
【０００８】
【図１】図１は遊技盤の正面を示した説明図である。
【図２】図２は飾り枠に備えられる発光ランプの正面を示した説明図である。
【図３】図３は飾り枠に備えられる発光ランプの裏面を示した説明図である。
【図４】図４は発光ランプに備えられる表枠部材の内部を示した説明図である。
【図５】図５は発光ランプの断面を示した説明図である。
【図６】図６は図４におけるＬＥＤ付近を示した説明図である。
【発明を実施するための形態】
【０００９】
以下、本発明の遊技機をパチンコ機に具体化した一実施形態について、図面を参照しつつ詳細に説明する。
図１は、パチンコ機が備える遊技盤１０を示す正面図である。この遊技盤１０には、ベニヤ製の基板１１の前面側に、外レール１２、内レール１３等の遊技部品が取り付けられている。遊技盤１０の前面側には、外レール１２と内レール１３とで囲まれることで、略円形状をなす遊技領域１４が区画形成されている。
【００１０】
図１に示すように、遊技領域１４の中央部には図柄表示装置１５が配置されている。図柄表示装置１５は図柄表示部１６と、図柄表示部１６を囲むように設けられた飾り枠１７とを備えている。飾り枠１７には、略円形状をなす発光ランプ１８が備えられている。
【００１１】
遊技領域１４において、図柄表示装置１５の下方には、略球１個分開口する図柄始動口１９と、扉式の大入賞口２０とがそれぞれ配置されている。
【００１２】
遊技領域１４を転動落下する遊技球が図柄始動口１９へ入賞することに基づき、当り抽選を行い、図柄表示装置１５にて抽選結果を遊技者に報知し、抽選結果が当りの場合には、当り遊技を遊技者に対して提供する為に大入賞口２０を開放する制御を行う遊技制御装置を備えている。
【００１３】
また、遊技制御装置は、飾り枠１７に備えられる発光ランプ１８の点灯制御も行っている。
【００１４】
図２は図１において飾り枠１７に備えられる発光ランプ１８を取り出して拡大した図である。発光ランプ１８は発光部２１と、発光部２１の外周に設けられる環状の表枠部材２２とで構成されている。
【００１５】
図３は図２において発光ランプ１８の裏面を示した図である。発光ランプ１８は裏面からも発光部２１が視認可能となっており、発光部２１の外周に設けられ、表枠部材２２と略同一形状をした裏枠部材２４と、発光ランプ１８を飾り枠１７に固定する固定部２３とで構成されている。
【００１６】
図４は図３において裏枠部材２４と発光部２１を取り外した状態であり、表枠部材２２の内部を示した図である。表枠部材２２の内部には裏枠部材２４を固定する裏枠固定部２６を複数備えており、図３に示すネジ２５によって裏枠固定部２６にネジ止めすることにより表枠部材２２と裏枠部材２４とが固定されている。
【００１７】
また、表枠部材２２の内部には発光部２１を固定する発光部取付突起３１が複数設けられており、発光部２１と発光部取付突起３１とをネジ止めすることにより表枠部材２２の内部に固定されている。
【００１８】
また、表枠部材２２の内部には表枠部材２２の周囲を囲う曲面形状の外周壁面２７が設けられており、外周壁面２７に沿ってフレキシブル基板２８が湾曲配置されている。フレキシブル基板２８には表枠部材２２の外周壁面２７と対向しない面にＬＥＤ２９が実装されている。
【００１９】
また、表枠部材２２の外周壁面２７の近傍に基板取付突起３０が複数設けられており、表枠部材２２の外周壁面２７と基板取付突起３０との間にフレキシブル基板２８が嵌まり込むことにより、フレキシブル基板２８は表枠部材２２の外周壁面２７に沿って取り付けられている。
【００２０】
また、フレキシブル基板２８の一端にはコネクタが設けられ、遊技制御装置からの配線がコネクタ接続されており、遊技制御装置が点灯制御することによりフレキシブル基板２８に実装されたＬＥＤ２９が発光されている。
【００２１】
図５は図２の１−１縦断面図である。発光部取付突起３１は、発光部２１を取り付けた時の発光部２１の端面の高さ位置と、表枠部材２２の外周壁面２７に沿って取り付けられているフレキシブル基板２８に実装されるＬＥＤ２９の高さ位置とが略同じ高さになるように設定されている。
【００２２】
また、フレキシブル基板２８に実装されているＬＥＤ２９が発光することにより、ＬＥＤ２９の光が発光部２１の端面に向かって照射され、発光部２１の端面から入射した光が発光部２１内にて乱反射することにより発光部２１の略全体が発光する。
【００２３】
次に本実施例の特徴部分について説明する。図６は図４のフレキシブル基板２８にＬＥＤ２９が実装されている付近を拡大した図である。表枠部材２２の外周壁面２７の一部に表枠部材２２の内側方向に突出する平面部３２が設けられている。
【００２４】
また、平面部３２はフレキシブル基板２８を外周壁面２７と基板取付突起３０との間に取り付けた時にフレキシブル基板２８のＬＥＤ２９が実装される裏面側と対向する位置に設けられ、外周壁面２７から図６に示す「ｂ」の距離だけ突出して設けられている。
【００２５】
また、図４に示すように複数設けられている基板取付突起３０の内の２本が平面部３２の左右両端近傍に設けられ、基板取付突起３０は外周壁面２７から図６に示す「ａ」の距離だけ離れて設けられている。
【００２６】
平面部３２と基板取付突起３０との配置関係は、「ａ」の距離よりも「ｂ」の距離の方を大きくなるように配置されており、フレキシブル基板２８を外周壁面２７と基板取付突起３０との間に取り付けた時、外周壁面２７と基板取付突起３０の配置関係によりフレキシブル基板２８のＬＥＤ２９が実装されている裏面側周辺は基板取付突起３０により平面部３２に押し付けられる。
【００２７】
なお、本実施例では、外周壁面２７と基板取付突起３０との間に嵌め込むことによりフレキシブル基板２８を平面部３２に押し付けた状態で取り付けたが、例えば、基板取付突起３０を無くし、フレキシブル基板２８を平面部３２に押し付けた状態でフレキシブル基板２８の両端を固定したり、フレキシブル基板２８を平面部３２に押し付けた状態で両面テープにて固定したりするなど、要するにフレキシブル基板２８を平面部３２に押し付けた状態で取り付けることが出来ればどのような取付方法でも構わない。
【００２８】
また、本実施例では、フレキシブル基板２８を平面部３２に押し付けることでフレキシブル基板２８のＬＥＤ２９が実装されている裏面側周辺を平らにすることを例として記載したが、ＬＥＤ２９が実装される周辺のフレキシブル基板２８に平面を有する補強材を直接取り付けたり、フレキシブル基板２８の中に内包させるようにしても構わない。なお、平面部３２と補強材とを両方備えることにより、フレキシブル基板２８を湾曲配置してもＬＥＤ２９が実装されている周辺をより平らに保つことができる。
【００２９】
また、本実施例では、フレキシブル基板２８にＬＥＤ２９が実装されたものを例として記載したが、これに限定されるものではなく、フレキシブル基板２８にＣＰＵ・ＲＯＭ・ＲＡＭ・ＩＣチップなどフレキシブルに実装することが可能な電子部品であれば何でも構わない。
【００３０】
また、本実施例では、発光ランプ１８として発光部２１の側面から光を照射し、発光部２１内にて乱反射することで発光部２１の略全体が発光するものを例として記載したが、これに限定されるものではなく、例えば発光部２１は透光性樹脂で形成され、発光部２１の一部にカットを入れる事でカットされた部分だけ光るようにしたものなど、どのような光らせ方をしても構わない。
【００３１】
また、本実施例では、発光ランプ１８を例として記載したが、遊技機に搭載されるものであって、曲面を備える遊技部品にフレキシブル基板２８を湾曲配置するものであれば、どの遊技部品にも適用することができる。
【００３２】
上記構成の本実施形態においては次のような効果を奏する。
電子部品が実装されている周辺のフレキシブル基板２８が平面部３２に押し付けられることによりフレキシブル基板２８の形状を平面形状に補正することができる。したがって、電子部品が実装されている周辺のフレキシブル基板２８は平面形状となり、フレキシブル基板２８が湾曲形状しているよりも電子部品の接続端部に負担をかけ難くすることができ、電子部品がフレキシブル基板２８から剥離することを防ぐことができる。
【符号の説明】
【００３３】
１８は発光ランプ、２７は外周壁面、２８はフレキシブル基板、２９はＬＥＤ、３０は基板取付突起、３２は平面部を示している。
【図１】
2010188021.tif 000003
【図２】
2010188021.tif 000004
【図３】
2010188021.tif 000005
【図４】
2010188021.tif 000006
【図５】
2010188021.tif 000007
【図６】
2010188021.tif 000008